(57)【要約】      （修正有）【課題】腔の内側にうまく適合するように充填することができる医療用充填物を提供する。【解決手段】医療用充填物は、可撓性および透過性を有する充填部材２０と、充填部材に入れられるペースト状の医薬用材料３０とを有する。充填部材は、１つ以上の網状の壁で形成される。充填部材は、ペースト状の医薬用材料を充填部材へ注入する前に、圧縮される。ペースト状の医薬用材料を注入することにより、充填部材は、その最初の形に回復する。【選択図】図１
2004195197.tif 000002
【特許請求の範囲】
【請求項１】
１つ以上の網状の壁で形成され、中空の受容部および当該受容部に連通する入口が設けられた可撓性および透過性を有する充填部材であって、前記網状の壁は、弾性的に圧縮可能で、単一の層の壁または積層された複数の層の壁であり、各々の層には、前記網状の壁が気密にならないように複数のメッシュが設けられてなる、充填部材と、
前記充填部材の前記入口を経て前記受容部の中に注入されるペースト状の医薬用材料と
を有する医療用充填物。
【請求項２】
前記各々の層には、直線方向１インチにつき６個以上のメッシュが設けられている請求項１に記載の医療用充填物。
【請求項３】
前記各々の層には、直線方向１インチにつき２０個以上のメッシュが設けられている請求項１に記載の医療用充填物。
【請求項４】
前記各々の層には、直線方向１インチにつき４０個以上のメッシュが設けられている請求項１に記載の医療用充填物。
【請求項５】
前記各々の層には、直線方向１インチにつき１００個以上のメッシュが設けられている請求項１に記載の医療用充填物。
【請求項６】
前記充填部材は、サック、バッグ、ボール、棒、またはシリンダの形状に形成されている請求項１に記載の医療用充填物。
【請求項７】
１つ以上の網状の壁で形成され、中空の受容部および当該受容部に連通する入口が設けられた可撓性および透過性を有する充填部材であって、前記網状の壁は、弾性的に圧縮可能で、単一の層の壁または積層された複数の層の壁であり、各々の層には、前記網状の壁が気密にならないように複数のメッシュが設けられてなる、充填部材と、
ペースト状の医薬用材料と、
前記ペースト状の医薬用材料が前記充填部材の前記入口を経て前記受容部に注入され得るように、前記充填部材の前記入口に着脱可能に固定される注入器具と
を有する医療用充填物システム。
【請求項８】
前記注入器具は、接続管と、注入シリンダと有し、
前記接続管の一端部には、前記充填部材の前記入口の内面に形成された内ねじ部と螺合可能に、当該接続管の外面に形成された外ねじ部が設けられ、
前記注入シリンダは、筒体と、プランジャとを有し、
前記筒体には、前記接続管の他端部が固定され、
前記筒体は、前記プランジャの突き動作によって前記接続管を経て前記充填部材の前記受容部に注入され得る前記ペースト状の医薬用材料を保持するために使用される請求項７に記載の医療用充填物システム。
【請求項９】
前記充填部材は、サック、バッグ、ボール、棒、またはシリンダの形状に形成されている請求項７に記載の医療用充填物システム。
【発明の詳細な説明】
【技術分野】
【０００１】
本発明は、医療用充填物に関し、より詳しくは、圧縮性および透過性を有する医療用充填物に関する。
【背景技術】
【０００２】
従来、腔の医療用の詰め物は、たとえば石膏などの固体材料の使用をともなうことが多い。同様に、切開部の固定は、固体材料の使用をともなう。上述したような固体の充填物は、固定作用を生じさせるために使われる。しかし、従来の医療用充填物は、しばしば、緊密に互いに接合せず、その結果、それらの間にギャップを形成することになる。換言すれば、それらは、弱い摩擦接触に起因して、容易にゆるむおそれがある。充填物と腔壁とが緊密な接触を欠いているという点で、従来の腔の詰め物は、設計上の欠点を有している。切開固定の場合、充填物は、切開部にうまく合うように適切に形作られていない。
【発明の開示】
【発明が解決しようとする課題】
【０００３】
本発明の主目的は、上記した従来の医療用充填物の問題点を解消することができる医療用充填物を提供することである。
【０００４】
本発明の主目的は、より具体的には、腔の内側にうまく適合するように充填することができる医療用充填物を提供することである。
【０００５】
本発明の他の目的は、前記ペースト状の医薬用材料と、前記充填部材と、ペースト状の医薬用材料を充填部材に入れるための注入器具とを有する医療用充填物システムを提供することである。
【課題を解決するための手段】
【０００６】
医療用充填物は、ペースト状の医薬用材料と、可撓性および透過性を有する充填部材とを有する。充填部材は、それにペースト状の医薬用材料が注入される前に、適切に圧縮される。医薬用材料が注入されると、充填部材は、その最初の形に戻る。
【０００７】
前記可撓性および透過性を有する充填部材は、１つ以上の網状の壁で形成され、また、充填部材には、中空の受容部および当該受容部に連通する入口が設けられ、前記網状の壁は、弾性的に圧縮可能で、単一の層の壁または積層された複数の層の壁であり、各々の層には、前記網状の壁が気密にならないように複数のメッシュが設けられている。前記ペースト状の医薬用材料は、前記充填部材の前記入口を経て前記受容部の中に注入される。
【０００８】
好ましくは、前記各々の層には、直線方向１インチにつき６個以上のメッシュが設けられる。好ましくは、前記各々の層には、直線方向１インチにつき２０個以上のメッシュが設けられる。好ましくは、前記各々の層には、直線方向１インチにつき４０個以上のメッシュが設けられる。好ましくは、前記各々の層には、直線方向１インチにつき１００個以上のメッシュが設けられる。
【０００９】
好ましくは、前記充填部材は、サック、バッグ、ボール、棒、またはシリンダの形状に形成される。
【００１０】
本発明の医療用充填物システムの前記注入器具は、前記ペースト状の医薬用材料が前記充填部材の前記入口を経て前記受容部に注入され得るように、前記充填部材の前記入口に着脱可能に固定される。
【００１１】
好ましくは、前記注入器具は、接続管と、注入シリンダと有し、前記接続管の一端部には、前記充填部材の前記入口の内面に形成された内ねじ部と螺合可能に、当該接続管の外面に形成された外ねじ部が設けられ、前記注入シリンダは、筒体と、プランジャとを有し、前記筒体には、前記接続管の他端部が固定され、前記筒体は、前記プランジャの突き動作によって前記接続管を経て前記充填部材の前記受容部に注入され得る前記ペースト状の医薬用材料を保持するために使用される。
【発明の効果】
【００１２】
本発明によれば、医療用充填物を腔の内側にうまく適合するように充填することができるという利点がある。
【発明を実施するための最良の形態】
【００１３】
本発明は、ペースト状の形で注入される医薬用材料によって、および、１つまたはそれ以上の可撓性および透過性を有する壁で形成される充填部材によって特徴づけられる。壁には複数の通路が設けられており、網状の壁ないしメッシュ状の壁を構成している。前記記壁は、単一層の壁、あるいは、積層されることにより作られる多層の壁である。充填部材には、中空の受容部と、当該受容部の中にペースト状の医薬用材料が注入されるのに通過する入口とが設けられる。ペースト状の医薬用材料が充填部材に注入される前に、充填部材は圧縮される。注入動作は、充填部材を最初の形に戻らせる。充填部材の受容部の内部は、通路を経て充填部材の外側と連絡している。通路に関する限り、本発明の充填部材は、単一層の壁、あるいは多層の壁で形成される。各々の層は、直線方向１インチにつき２０〜１００個の範囲にあるメッシュ（網の目）を有する。なお、メッシュの数は変更可能であり、各々の層には、直線方向１インチにつき６個以上、あるいは２０個以上、あるいは４０個以上、あるいは１００個以上のメッシュが設けられてもよい。また、メッシュの数の範囲で特定すれば、各々の層は、直線方向１インチにつき４０〜１００個、あるいは５０〜１００個の範囲にあるメッシュを有していてもよい。
【００１４】
充填部材が直線方向１インチにつき２０個のメッシュの壁（２０メッシュの壁と呼ぶ。メッシュの個数が変わってもたとえば５０メッシュの壁などと同様の呼び方をする。）で形成される場合、ペースト状の医薬用材料の粘度、および医薬用材料内の粒の含有量に応じて、３つまたはそれ以上の層が積層された壁が提案される。たとえば、ペースト状の医薬用材料がメタクリル樹脂（ポリメチルメタクリレート：ＰＭＭＡ）である場合、充填部材は、好ましくは、積層されることにより３層の２０メッシュの壁で形成される。これは、ＰＭＭＡが比較的高い粘度を有していて、サイズが比較的大きい粒を含んでいるという事実に起因する。ペースト状の医薬用材料が比較的低い粘度を有していて、サイズが比較的小さい粒を含む場合、充填部材は、好ましくは、積層されることにより４層以上の層の２０メッシュの壁で形成される。次表に載せられている実験データにより例証されるように、本発明の充填部材の積層構造は、ペースト状の医薬用材料の粘度またはその中に含まれる粒の粒度に依存する。
【００１５】
【表１】
2004195197.tif 000003
本発明の充填部材には、たとえば電気または手動の注入シリンダなどの注入器具によって、ペースト状の医薬用材料が注入される。ペースト状の医薬用材料は、好ましくは、凝固し得る。推薦される医薬用材料は、骨用セメント、ＰＭＭＡ、および、たとえば石膏やリン酸カルシウムなどの骨代用物を含む。
【００１６】
本発明の可撓性および透過性を有する充填物は、主に、医療用詰め物、医療用固定物、または軟組織のプレスのために使われる。充填物のペースト状の医薬用材料には、疾患の治療または痛みの軽減のための医療用物質が含浸されてもよい。医療用物質は、医薬用材料を介してゆっくりと放たれる。
【００１７】
本発明の充填部材は、単一層壁または多層壁で一体的に形成されてもよく、あるいは、単一層壁または多層壁の結合物で形成されてもよい。充填部材が多層壁を用いて作られている場合、多層壁の各々の層のメッシュは、必ずしも整列させられるというわけではない。本発明の充填部材は、たとえばチタンまたは生体分解性を有する材料などの生体適合性材料でできている。
【００１８】
本発明の特徴および利点は、添付の図面を参照して、本発明の好ましい実施形態の以下の詳細な説明を思慮深く熟考して、より容易に理解される。
【００１９】
図１に示すように、本発明の実施形態である医療用充填物システム１０は、可撓性および透過性を有する充填部材２０、ペースト状の医薬用材料３０、接続管４０、および、ペースト状の医薬用材料３０を接続管４０を介して充填部材２０に注入するための注入シリンダ５０を有している。
【００２０】
図２に示すように、充填部材２０は、パンチングおよびプレス加工により可撓性および透過性を有する単一層壁２１で一体的にできていて、充填部材２０には、中空の受容部２２と、当該受容部２２と連通する入口２３とが設けられる。入口２３には、内面に形成された内ねじ部２３１が設けられる。
【００２１】
ペースト状の医薬用材料３０は、好ましくは、凝固し得る。充填部材２０に注入される前に、ペースト状の医薬用材料３０は、注入シリンダ５０の筒体(barrel)５１に保持される。医薬用材料３０は、接続管４０を経て充填部材２０の中に、プランジャ５２の突き動作により注入される。接続管４０には、外面に形成された外ねじ部４３を備えた一端部４１が設けられており、そして、接続管４０は、接続管４０の外ねじ部４３が入口２３の内ねじ部２３１に螺合されるように、一端部４１にて、充填部材２０の入口２３に固定される。接続管４０は、他端部４２にて、筒体５１の出口５１１に固定される。
【００２２】
図３ａに示す充填部材２０の壁２１は、１つの層で形成されている。壁２１には、気体または液体を通過させ、固体を通過させない複数のメッシュ２１１が設けられる。充填部材２０は、壁２１の弾性によって、弾性的に圧縮され得る。
【００２３】
図３ｂに示す壁２１は、複数の層が積層された壁であり、そこにおいて、２つの近接した層のメッシュ２１１は、整列されていない。その結果、壁２１を通過する気体または液体の移動は、メッシュ２１１の不整合によって遅くされる。メッシュ２１１は、医薬用材料３０の固体成分を通さず、それにより、結果として、壁２１は固体成分により押されることになる。
【００２４】
図４ａ〜図４ｄに示すように、本発明の充填部材は、たとえば球体６０、略楕円体６１、棒状体６２、および不規則形状体６３などの、種々の形状を採り得る。棒状体６２は、複数の壁６２１で形成されており、複数の壁６２１は、棒形状を形成するように結合される。不規則形状体６３には、受容部６３１と入口６３２とが設けられている。このように、充填部材の形状は、適宜変更可能であり、サックないし嚢(sac)、バッグ、ボール、棒、またはシリンダの形状に形成されてもよい。
【００２５】
図５ａに示すように、充填部材２０は、骨小腔７０に挿入され得るように、まず圧縮される。その後、充填部材２０には、ペースト状の医薬用材料３０が充填され、それにより、充填部材２０は、図５ｂに示すように、その最初の形状に回復する。ペースト状の医薬用材料３０が充填部材２０内部で凝固したとき、図５ｃに示すように、接続管４０は、充填部材２０からはずされる。骨小腔７０は、このようにして、骨小腔７０の上部７１で、たとえば人工股関節などの人工移植物の植付けを容易にするために、充填部材２０によりふさがれる。充填部材２０は、人工股関節を支持するための手段として役立つ。
【００２６】
このように本実施形態によれば、腔の内側にうまく適合するように充填することができる医療用充填物を提供することができる。
【００２７】
上述した本発明は、あらゆる点で、例示であり、かつその実施形態に限定されるものではないものと見なされるべきである。
【００２８】
したがって、本発明は、その精神から逸脱することなく、他のいろいろな形で具体化され得る。それゆえ本発明は、特許請求の範囲の範囲によってのみ限定されるものである。
【図面の簡単な説明】
【００２９】
【図１】本発明の医療用充填物システムの外観図である。
【図２】本発明の医療用充填物システムの分解組立図である。
【図３ａ】本発明の充填部材の網状の壁の断面概略図である。
【図３ｂ】本発明の充填部材の積層された壁の断面概略図である。
【図４ａ】本発明の充填部材の各種形状の概略図である。
【図４ｂ】本発明の充填部材の各種形状の概略図である。
【図４ｃ】本発明の充填部材の各種形状の概略図である。
【図４ｄ】本発明の充填部材の各種形状の概略図である。
【図５ａ】外科手術において封鎖機能を生じさせるための作業時における本発明のシステムの概略図である。
【図５ｂ】外科手術において封鎖機能を生じさせるための作業時における本発明のシステムの概略図である。
【図５ｃ】外科手術において封鎖機能を生じさせるための作業時における本発明のシステムの概略図である。
【符号の説明】
【００３０】
１０…医療用充填物システム、
２０…充填部材、
２１…壁、
２２…受容部、
２３…入口、
３０…医薬用材料、
４０…接続管、
４１…一端部、
４２…他端部、
４３…外ねじ部、
５０…注入シリンダ、
５１…筒体、
５２…プランジャ、
７０…骨小腔、
７１…上部、
２１１…メッシュ、
２３１…内ねじ部、
５１１…出口。
【図１】
2004195197.tif 000004
【図２】
2004195197.tif 000005
【図３ａ】
2004195197.tif 000006
【図３ｂ】
2004195197.tif 000007
【図４ａ】
2004195197.tif 000008
【図４ｂ】
2004195197.tif 000009
【図４ｃ】
2004195197.tif 000010
【図４ｄ】
2004195197.tif 000011
【図５ａ】
2004195197.tif 000012
【図５ｂ】
2004195197.tif 000013
【図５ｃ】
2004195197.tif 000014